(57)【特許請求の範囲】
【請求項１】
電子機器に着脱自在に配置される防水カバーであって、
カバー本体部と、
前記カバー本体部の内側に接合された、厚みが均一である平面板と、
を備え、
前記防水カバーと前記電子機器の防水領域の周囲とのうち、一方には該防水領域の周方向の全周に亘って封止部材が設けられ、他方には該封止部材に対向する接触面が同一面上に形成され、
前記防水カバーは、前記封止部材が前記接触面に接触して押圧された状態のままスライドして前記電子機器に装着される、防水カバー。
【請求項２】
請求項１記載の防水カバーにおいて、
前記封止部材を備え、
前記接触面は、前記電子機器の前記防水領域の周囲に形成されている、防水カバー。
【請求項３】
請求項１記載の防水カバーにおいて、
前記封止部材は、低摩擦コーティングを施されている、防水カバー。
【請求項４】
請求項１から請求項３のいずれか１項記載の防水カバーと、
前記防水領域と、
を備える、電子機器。
【発明の詳細な説明】
【技術分野】
【０００１】
本明細書に記述された実施態様は、電子機器に着脱自在に配置される防水カバー、および、この防水カバーを備える電子機器に関する。
【背景技術】
【０００２】
従来、携帯電話機等の電子機器の防水領域に止水ガスケットが用いられている。この止水ガスケットとして、電子機器の幅方向の両側からつぶされる止水ガスケットが知られている。
【０００３】
また、電池蓋のリブによって押圧される止水ガスケットが知られている。
【先行技術文献】
【特許文献】
【０００４】
【特許文献１】特開平１１−２５９４０号公報
【特許文献２】特許第４４２４４４５号公報
【発明の概要】
【発明が解決しようとする課題】
【０００５】
ところで、防水カバーは、電子機器の例えば幅方向に止水ガスケットをつぶすものは、ガスケットが押圧されるのに耐えうる壁面の厚みが必要になり、幅方向の寸法が大きくなる。また、止水ガスケットをリブ等によって押圧する防水カバーは、例えば厚み方向の寸法が大きくなる。
【０００６】
更には、防水領域が例えば電池収納部である場合には、昨今の電池容量増加による電子機器の例えば幅方向の寸法拡大と、電子機器の取り扱いやすさのために電子機器の寸法を維持することとの両立が難しくなっている。
【０００７】
本発明の目的は、電子機器の小型化を図ることができる防水カバーおよび電子機器を提供することである。
【課題を解決するための手段】
【０００８】
本明細書で開示する防水カバーは、電子機器に着脱自在に配置される防水カバーである。この防水カバーは、カバー本体部と、上記カバー本体部の内側に接合された、厚みが均一である平面板と、を備える。上記防水カバーと上記電子機器の防水領域の周囲とのうち、一方には上記防水領域の周方向の全周に亘って封止部材が設けられ、他方には上記封止部材に対向する接触面が同一面上に形成されている。上記防水カバーは、上記封止部材が上記接触面に接触して押圧された状態のままスライドして上記電子機器に装着される。
【０００９】
本明細書で開示する電子機器は、上記防水カバーと、上記防水領域と、を備える。
【発明の効果】
【００１０】
本明細書で開示する防水カバーおよび電子機器によれば、電子機器の小型化を図ることができる。
【図面の簡単な説明】
【００１１】
【図１】防水カバーを備える携帯電話機を示す斜視図である。
【図２】防水カバーの平面板を分解した携帯電話機を示す斜視図である。
【図３】防水カバーを内側から見た斜視図である。
【図４】防水カバーの爪部等を説明するための携帯電話機の斜視図である。
【図５】防水カバーの爪部等を説明するための携帯電話機の拡大斜視図である。
【図６】防水カバーの寸法を説明するための簡略図である。
【図７】防水カバーの封止部材等を説明するための携帯電話機の部分断面図である。
【図８Ａ】スライド後の防水カバーを示す断面図（その１）である。
【図８Ｂ】スライド後の防水カバーを示す断面図（その２）である。
【図８Ｃ】図８ＡのＡ部拡大図である。
【図８Ｄ】図８ＡのＢ部拡大図である。
【図９Ａ】スライド前の防水カバーを示す断面図（その１）である。
【図９Ｂ】スライド前の防水カバーを示す断面図（その２）である。
【図１０Ａ】接触前の封止部材を示す断面図である。
【図１０Ｂ】スライド前の封止部材を示す断面図である。
【図１０Ｃ】スライド後の封止部材を示す断面図である。
【図１１】スライド後のつぶれた封止部材を示す拡大断面図である。
【発明を実施するための形態】
【００１２】
以下、実施の形態に係る、防水カバーおよび電子機器について、図面を参照しながら説明する。
図１は、防水カバー１０を備える携帯電話機１を示す斜視図である。
図２は、防水カバー１０の平面板１２を分解した携帯電話機１を示す斜視図である。
図３は、防水カバー１０を内側から見た斜視図である。
【００１３】
図１および図２に示すように、携帯電話機１は、防水カバー１０と、互いにヒンジ結合された正面側筐体２０および背面側筐体３０とを備える。携帯電話機１は、電子機器の一例である。
【００１４】
防水カバー１０は、背面側筐体３０の電池収納部３１を塞ぐように、携帯電話機１に着脱自在に配置されている。電池収納部３１には、図８Ａおよび図９Ａに二点鎖線で示す電池４０が配置される。電池収納部３１は、防水領域の一例である。
【００１５】
図２および図３に示すように、防水カバー１０は、カバー本体部１１と、このカバー本体部１１の内側に接合された平面板１２と、封止部材１３と、それぞれ複数の、嵌合爪部１４、後端爪部１５および前端爪部１６と、を含む。
【００１６】
カバー本体部１１は、背面側筐体３０と同一幅の略矩形状を呈し、背面側筐体３０の背面（携帯電話機１の背面）のうち底面側の表面を形成する。また、カバー本体部１１は、背面側筐体３０の左右の側面の一部および底面の一部も形成する。
【００１７】
平面板１２は、矩形の薄板であり、カバー本体部１１の内側に例えば両面テープを介して接合されている。平面板１２の内側（防水カバー１０の内側）の面の周縁端部には、電池収納部３１の周方向の全周に亘って、封止部材１３が設けられている。
【００１８】
カバー本体部１１および平面板１２の材質は、特に限定されないが、本実施の形態では、カバー本体部１１がプラスチックで、平面板１２が金属である。
図７、図８Ａおよび図９Ａに示すように、封止部材１３は、平面板１２上で成形され、平面板１２と一体になっている。
【００１９】
図２に示すように、背面側筐体３０には、電池収納部３１の周囲において平面部３２が形成されている。この平面部３２は、同一平面上で、且つ、電池収納部３１の周方向に連続して形成されている。平面部３２は、封止部材１３に対向し同一面上に形成される接触面の一例である。
【００２０】
詳しくは後述するが、防水カバー１０は、封止部材１３が平面部３２に接触して押圧された状態のままスライドして携帯電話機１に装着される。そのため、平面部３２は、封止部材１３がスライドしても封止部材１３との接触を維持できる大きさに形成されている。
【００２１】
図８Ｃおよび図８Ｄに示すように、封止部材１３は、電池収納部３１の周方向の全周に亘って設けられた封止ベース部１３ａと、この封止ベース部１３ａから電池収納部３１の周方向の全周に亘って突出し平面部３２に接触する突出部１３ｂと、を含む。この突出部１３ｂは、電池収納部３１の周方向に直交する断面の断面形状が半円形状または半楕円形状であり、封止ベース部１３ａの周縁から突出している。
【００２２】
封止部材１３は、少なくとも、平面部３２と接触する突出部１３ｂに、低摩擦コーティングを施されている。低摩擦コーティングは、シリコーン系、フッ素系などのコーティング剤を、例えば、塗布、焼付け等することで突出部１３ｂ等の表面に形成すればよい。
【００２３】
図３〜図５に示すように、嵌合爪部１４は、カバー本体部１１の左右の側壁の内側に、左右それぞれ４つずつ計８個配置されている。
嵌合爪部１４は、背面側筐体３０の左右の側壁の外側に設けられたＬ字状の爪嵌合溝３３に対して、防水カバー１０のスライド方向（矢印Ｓ）に交差する方向に挿入されて防水カバー１０が上記のスライド方向（矢印Ｓ）にスライドすることで爪嵌合溝３３に嵌合する。
【００２４】
なお、図３に示すように、スライド方向（矢印Ｓ）の前端および後端の左右の嵌合爪部１４は、封止部材１３のスライド方向（矢印Ｓ）の前端および後端の近傍に設けられている。そのため、この位置の嵌合爪部１４および爪嵌合溝３３によって、電池収納部３１の周囲の背面側筐体３０の幅方向の肉厚を薄くすることができる。これにより、携帯電話機１の幅寸法を維持しつつ、電池４０の幅を拡大することができる。
【００２５】
嵌合爪部１４は、その挿入方向に延びる複数本（例えば４本）の挿入方向櫛歯１４ａと、複数本の挿入方向櫛歯１４ａを連結する線状の櫛歯ベース部１４ｂと、この櫛歯ベース部１４ｂから挿入方向とは反対方向に突出する複数本の反対方向櫛歯１４ｃと、を含む。
【００２６】
図５に示すように、櫛歯ベース部１４ｂのスライド方向（矢印Ｓ）の前端には、爪嵌合溝３３内でのスライドを滑らかにするため、前端の挿入方向櫛歯１４ａに向かって湾曲する湾曲部１４ｂ−１が形成されている。一方、爪嵌合溝３３にも、嵌合爪部１４がスライドして嵌合する際の入り口となる直角部分に湾曲部３３ａが形成されている。
【００２７】
図３および図４に示すように、後端爪部１５は、防水カバー１０のスライド方向（矢印Ｓ）の後端においてスライド方向（矢印Ｓ）に突出するように例えば３つ設けられている。なお、後端爪部１５にも、挿入方向櫛歯１４ａと同様に挿入方向に延びる櫛歯が複数本形成されている。
【００２８】
前端爪部１６は、防水カバー１０のスライド方向（矢印Ｓ）の前端においてスライド方向（矢印Ｓ）に突出するように例えば２つ設けられている。
後端爪部１５および前端爪部１６は、図２に示す後端側溝３４および前端側溝３５に挿入されて嵌合する。
【００２９】
図６に示すように、封止部材１３のスライド方向（矢印Ｓ）の前端部分から嵌合爪部１４の後端までの距離Ａは、電池収納部３１の前端から、上記嵌合爪部１４と嵌合する爪嵌合溝３３の後端までの距離Ｂよりも大きい。
【００３０】
このように封止部材１３が設けられているため、封止部材１３の前端部分は、防水カバー１０のスライドの前後において、電池収納部３１の前端側に位置する平面部３２に接触して押圧されることが可能である。
【００３１】
また、封止部材１３のスライド方向（矢印Ｓ）の後端部分から嵌合爪部１４の後端までの距離Ｃは、電池収納部３１の後端から、上記嵌合爪部１４と嵌合する爪嵌合溝３３の後端までの距離Ｄよりも大きい。
【００３２】
このように封止部材１３が設けられているため、封止部材１３の後端部分も、防水カバー１０のスライドの前後において、電池収納部３１の後端側に位置する平面部３２に接触して押圧されることが可能である。
【００３３】
なお、平面部３２は、封止部材１３のうちスライド方向（矢印Ｓ）に延びる左右の部分も防水カバー１０のスライドの前後において平面部３２に接触して押圧されることが可能な大きさに形成されている
爪嵌合溝３３の嵌合爪部１４との嵌合面から平面部３２までの距離Ｅは、嵌合爪部１４の爪嵌合溝３３との嵌合面から封止部材１３までの距離Ｆよりも大きい。
【００３４】
このように封止部材１３が設けられているため、嵌合爪部１４と爪嵌合溝３３とが嵌合した状態では、封止部材１３（図８Ｃおよび図８Ｄに示す突出部１３ｂ）は、平面部３２に接触して押圧されてつぶされる（図１１に示すつぶされた突出部１３ｂ´）。このように押圧されることで、封止部材１３は、止水性を発揮することになる。
【００３５】
防水カバー１０がスライドして携帯電話機１に装着された際には、図８Ｂに示すように嵌合爪部１４と爪嵌合溝３３とは嵌合し、図８Ａに示すように封止部材１３の突出部１３ｂは平面部３２に接触して押圧されている。
【００３６】
また、防水カバー１０がスライドして携帯電話機１に装着される前には、図９Ｂに示すように嵌合爪部１４と爪嵌合溝３３とは嵌合していないが、図９Ａに示すように封止部材１３の突出部１３ｂは平面部３２に接触している。
【００３７】
防水カバー１０を携帯電話機１に装着する際には、人は、図９Ｂに示すように嵌合爪部１４が爪嵌合溝３３に挿入され図８Ｂに示すように爪嵌合溝３３と嵌合するように、防水カバー１０を挿入・スライドさせる。
【００３８】
嵌合爪部１４が爪嵌合溝３３に挿入されることで、封止部材１３は、図１０Ａに示すように平面部３２との接触前の状態から図１０Ｂに示すように平面部３２に接触して押圧される。そして、図１０Ｃに示すように防水カバー１０がスライドして嵌合爪部１４が爪嵌合溝３３に嵌合する。この防水カバー１０のスライド前からスライド後まで封止部材１３は平面部３２に押圧された状態のままとなる。さらには、封止部材１３の突出部１３ｂは、スライドして平面部３２に押圧されることで、図１１に示すように、つぶれた状態となる（突出部１３ｂ´）。以上のように、封止部材１３が平面部３２に接触して押圧された状態のまま防水カバー１０はスライドして携帯電話機１に装着されることになる。
【００３９】
以上説明した本実施の形態では、防水カバー１０と携帯電話機（電子機器）１の電池収納部（防水領域）３１の周囲とのうち、一方に電池収納部３１の周方向の全周に亘って封止部材１３が設けられている。他方には、封止部材１３に対向する平面部３２が同一面上に形成されている。また、防水カバー１０は、封止部材１３が平面部３２に接触して押圧された状態のままスライドして携帯電話機１に装着される。
【００４０】
そのため、封止部材１３を例えば携帯電話機１の幅方向に押圧する場合に生ずる携帯電話機１の壁面等の幅方向寸法の増加を防ぐことができる。また、封止部材１３が同一面上の平面部３２に接触して押圧された状態のまま防水カバー１０がスライドするため、携帯電話機１の厚みが増すのも防ぐことができる。
【００４１】
よって、本実施の形態によれば、携帯電話機１の小型化を図ることができる。
更には、封止部材１３を防水カバー１０のスライドによって確実に押圧することができるため、止水性能や防水カバー１０の着脱時の操作性も向上させることができる。
【００４２】
また、本実施の形態では、封止部材１３が接触するのは、同一平面上に形成された平面部３２である。そのため、同一平面上において均等に封止部材１３を押圧することができ、携帯電話機１の小型化や止水性能の向上を図ることができる。
【００４３】
また、本実施の形態では、カバー本体部１１の内側に接合された平面板１２に封止部材１３（または平面部３２）が設けられている。そのため、カバー本体部１１と平面板１２とが別体で二重蓋構造となっている場合、カバー本体部１１と平面板１２とのそれぞれが剛性を持たせるために厚くなるが、本実施の形態ではそれぞれに剛性を持たせなくともよく防水カバー１０を薄くすることができる。更には、デザイン性向上および防水カバー１０の着脱操作の簡素化を図ることもできる。更には、カバー本体部１１と平面板１２とを異なる材料からなるようにして、例えば、平面板１２が、封止部材１３を成形しやすい材料（例えば、接合しやすい材料、成形時の温度に耐えうる材料）からなるようにすることができる。更には、平面板１２に防水カバー１１よりも高い強度を持たせるなど、必要部分のみに強度を持たせることもできる。
【００４４】
また、本実施の形態では、封止部材１３が防水カバー１０に配置され、平面部３２は、電池収納部１１の周囲に形成されている。そのため、封止部材１３を携帯電話機１に配置しやすくすることや、止水性能の向上を図ることが可能となる。
【００４５】
また、本実施の形態では、封止部材１３は、低摩擦コーティングを施されている。そのため、止水性能や防水カバー１０の着脱時の操作性も向上させることができる。
また、本実施の形態では、嵌合爪部１４は、背面側筐体３０（携帯電話機１）に設けられたＬ字状の爪嵌合溝３３に対して、防水カバー１０のスライド方向に交差する方向に挿入されて防水カバー１０がスライドすることで爪嵌合溝３３に嵌合する。そして、嵌合爪部１４は、その挿入方向に延びる複数本の挿入方向櫛歯１４ａを含む。また、嵌合爪部１４は、複数本の挿入方向櫛歯１４ａと、これら複数本の挿入方向櫛歯１４ａを連結する櫛歯ベース部１４ｂと、この櫛歯ベース部から挿入方向とは反対方向に突出する複数本の反対方向櫛歯１４ｃと、を含む。そのため、簡素な構成で防水カバー１０の強度を高めることができる。
【００４６】
また、本実施の形態では、爪嵌合溝３３の嵌合爪部１４との嵌合面から平面部３２までの距離Ｅは、嵌合爪部１４の爪嵌合溝３３との嵌合面から封止部材１３までの距離Ｆよりも大きくなるように、封止部材１３が設けられている。そのため、嵌合爪部１４と爪嵌合溝３３とが嵌合した状態では、封止部材１３の突出部１３ｂは、平面部３２に接触して押圧されてつぶされる。したがって、止水性能の向上を図ることができる。
【００４７】
また、本実施の形態では、封止部材１３は、電池収納部３１の周方向の全周に亘って設けられた封止ベース部１３ａと、この封止ベース部１３ａから電池収納部３１の周方向の全周に亘って突出し平面部３２に接触する突出部１３ｂと、を含む。そのため、封止部材１３の強度を高めることや止水性能の向上を図ることが可能となる。
【００４８】
また、本実施の形態では、封止部材１３の突出部１３ｂは、電池収納部３１の周方向に直交する断面の断面形状が半円形状または半楕円形状である。そのため、封止部材１３の強度を確保しながら止水性能の向上を図ることができる。
【００４９】
また、本実施の形態では、防水領域の一例として電池収納部３１が配置されている。そのため、昨今、電池４０の容量が増加しているが、携帯電話機１の電池収納部３１以外の部分の小型化によって電池収納部３１の体積を確保することができる。
【００５０】
なお、本実施の形態では、携帯電話機１を電子機器の一例として説明したが、電子機器としては、携帯電話機１以外の携帯型電子機器や、設置型電子機器を用いることもできる。
【００５１】
また、本実施の形態では、封止部材１３を防水カバー１０（平面板１２）側に配置する例について説明したが、封止部材１３を携帯電話機（電子機器）１側に配置し、平面部（接触面）３２を防水カバー１０側に設けるようにしてもよい。
【００５２】
また、本実施の形態では、封止部材１３が平面部（接触面）３２に接触して押圧された状態のまま防水カバー１０がスライドするが、封止部材１３が押圧されるのは防水カバー１０がスライドを開始したときからではなく、スライドの途中からでもよい。また、防水カバー１０をスライドさせる場合には、止水性能に悪影響を与えるおそれがあるが、図中のスライド方向（矢印Ｓ）とは完全に一致しない方向に多少傾斜をつけてスライドさせてもよい。
【００５３】
また、本実施の形態では、接触面の一例として、同一平面上に形成された平面部３２を例に説明したが、接触面としては、平面であることが望ましくはあるが、完全に平面でなくともよく、例えば曲面とすることも可能である。
また、本実施の形態では、電池収納部３１を防水領域の一例として説明したが、電池収納部３１以外の防水領域に防水カバー１０を設けることも可能である。
【００５４】
以上説明した実施形態に関し、更に以下の付記を開示する。
（付記１）
電子機器に着脱自在に配置される防水カバーであって、
前記防水カバーと前記電子機器の防水領域の周囲とのうち、一方には該防水領域の周方向の全周に亘って封止部材が設けられ、他方には該封止部材に対向する接触面が同一面上に形成され、
前記防水カバーは、前記封止部材が前記接触面に接触して押圧された状態のままスライドして前記電子機器に装着される、防水カバー。
（付記２）
付記１記載の防水カバーにおいて、
前記接触面は、同一平面上に形成された平面部である、防水カバー。
（付記３）
付記１記載の防水カバーにおいて、
カバー本体部と、
前記カバー本体部の内側に接合された平面板と、
を備え、
前記封止部材または前記接触面は、前記平面板に形成されている、防水カバー。
（付記４）
付記１記載の防水カバーにおいて、
前記封止部材を備え、
前記接触面は、前記電子機器の前記防水領域の周囲に形成されている、防水カバー。
（付記５）
付記１記載の防水カバーにおいて、
前記封止部材は、低摩擦コーティングを施されている、防水カバー。
（付記６）
付記１記載の防水カバーにおいて、
前記電子機器に設けられたＬ字状の爪嵌合溝に対して、前記防水カバーのスライド方向に交差する方向に挿入されて前記防水カバーがスライドすることで前記爪嵌合溝に嵌合する嵌合爪部を含み、
前記嵌合爪部は、その挿入方向に延びる複数本の挿入方向櫛歯を含む、防水カバー。
（付記７）
付記６記載の防水カバーにおいて、
前記嵌合爪部は、複数本の前記挿入方向櫛歯と、複数本の該挿入方向櫛歯を連結する櫛歯ベース部と、該櫛歯ベース部から前記挿入方向とは反対方向に突出する複数本の反対方向櫛歯と、を含む、防水カバー。
（付記８）
付記６記載の防水カバーにおいて、
前記封止部材を備え、
前記接触面は、前記電子機器の前記防水領域の周囲に形成され、
前記封止部材は、前記爪嵌合溝の前記嵌合爪部との嵌合面から前記接触面までの距離が、前記嵌合爪部の前記爪嵌合溝との嵌合面から前記封止部材までの距離よりも大きくなるように、設けられている、防水カバー。
（付記９）
付記１記載の防水カバーにおいて、
前記封止部材は、前記防水領域の周方向の全周に亘って設けられた封止ベース部と、該封止ベース部から前記防水領域の周方向の全周に亘って突出し前記接触面に接触する突出部と、を含む、防水カバー。
（付記１０）
付記９記載の防水カバーにおいて、
前記封止部材の前記突出部は、前記防水領域の周方向に直交する断面の断面形状が半円形状または半楕円形状である、防水カバー。
（付記１１）
付記１記載の防水カバーにおいて、
前記防水領域は、電池収納部である、防水カバー。
（付記１２）
付記１から付記１１のいずれか１項記載の防水カバーと、
前記防水領域と、
を備える、電子機器。
【符号の説明】
【００５５】
１      携帯電話機
１０      防水カバー
１１      カバー本体部
１２      平面板
１３      封止部材
１３ａ      封止ベース部
１３ｂ      突出部
１４      嵌合爪部
１４ａ      挿入方向櫛歯
１４ｂ      櫛歯ベース部
１４ｂ−１      湾曲部
１４ｃ      反対方向櫛歯
１５      後端爪部
１６      前端爪部
２０      正面側筐体
３０      背面側筐体
３１      電池収納部
３２      平面部
３３      爪嵌合溝
３３ａ      湾曲部
３４      後端側溝
３５      前端側溝
４０      電池
【図１】
0005569275.tif 000002
【図２】
0005569275.tif 000003
【図１１】
0005569275.tif 000004
【図３】
0005569275.tif 000005
【図４】
0005569275.tif 000006
【図５】
0005569275.tif 000007
【図６】
0005569275.tif 000008
【図７】
0005569275.tif 000009
【図８Ａ】
0005569275.tif 000010
【図８Ｂ】
0005569275.tif 000011
【図８Ｃ】
0005569275.tif 000012
【図８Ｄ】
0005569275.tif 000013
【図９Ａ】
0005569275.tif 000014
【図９Ｂ】
0005569275.tif 000015
【図１０Ａ】
0005569275.tif 000016
【図１０Ｂ】
0005569275.tif 000017
【図１０Ｃ】
0005569275.tif 000018